(57)【特許請求の範囲】
【請求項１】
浴室の第１の壁面と、その両端に連なりかつ第１の壁面と直角かつ互いに平行な第２，第３の壁面とがコ字をなす浴室部分に、浴槽を配することにより壁面開放部分で洗い場を形成する浴室の構造であって、
前記浴槽は、貯湯しうる容器部と、その周囲上縁で外方の張り出すフランジ部と、その外縁で下にのびる垂下部とを有する浴槽本体、及び前記壁面に固定され該壁面と浴槽本体とを継ぐバス枠体とからなるとともに、
前記バス枠体は、前記第１、第２，第３の壁面にそれぞれ沿う第１、第２，第３の枠部を有し、かつ各第１、第２、第３の枠部はそれぞれ前記壁面に固定される取付片と、その下端で浴槽本体に向いてかつ前記浴槽本体の垂下部をこえて突出する受片と、その内端でかつ容器部と離れて立ち上がりかつ上端に支持片を設けた立片とを具え、
前記第２，第３の枠部の受片は、第１の壁面から洗い場に向けて下向きに水勾配を有して傾斜するとともに、前記第２，第３の枠部の受片に対向する前記浴槽本体の垂下部は、前記受片の傾斜に合わせて垂下高さを増すことにより前記受片と垂下部下との間の距離を一定とすることを特徴とする浴室の構造。
【請求項２】
前記第１の枠部第１の受片は、略中央から第２、第３の壁面に向けて下向きに水勾配を有して山形に傾斜するとともに、前記第１の枠部の受片に対向する前記浴槽本体の垂下部は、前記受片の傾斜に合わせて垂下長を山形に増すことにより前記受片と垂下部下との間の距離を一定とすることを特徴とする請求項１記載の浴室の構造。
【発明の詳細な説明】
【０００１】
【発明の属する技術分野】
本発明は、浴槽と壁面との間の排水をよくする浴室の構造に関する。
【０００２】
【従来の技術】
近年、マンション、戸建ち住宅などで、スペースあるいはレイアウトの都合上、三方を壁面に囲まれた浴槽配置の浴室が多く採用され、壁面を滴下する結露水、飛散した湯水等の浴槽流入防止の為、浴槽本体と各壁面との間に凹部を設けることが多い。しかし、このような浴室では該凹部に水が溜まり、そのまま放置しておくと長時間にわたり水が乾燥せず、水垢の付着、黴の発生を招いた。そこでこれら水たまりをなくすために、図７に示すように、前記浴槽本体２と壁面Ｗとの間を継ぐ部材５８の底面５９の一部をさらに一段凹ませ壁面に沿って排水勾配を有する溝部６０を形成することも考えられている。
【０００３】
【発明が解決しようとする課題】
しかしながら前記浴槽本体２と壁面Ｗの間に排水勾配を有する溝部６０を形成すると、勾配下方で溝部６０が相当深くなり、浴室洗浄の作業性が悪くなり、さらにそのために、充分な洗浄がなされないと、特に入隅部において水垢の付着、黴の発生が見られる。又部材の構成上、浴槽本体２と壁面Ｗとを継ぐ部材の形状が複雑となり、その部材製作用の金型も高価になり、特に浴槽のサイズを多種多様にするとコストが高くなりすぎる問題があった。
【０００４】
本発明は、以上のような問題点に鑑み案出なされたもので、壁面と浴槽本体とを継ぐバス枠体の底面に水勾配をつけることにより、排水性もよく、外観上も美麗でしかもコストの安い浴室を提供することを目的とする。
【０００５】
【課題を解決するための手段】
本発明のうち請求項１記載の発明は、浴室の第１の壁面と、その両端に連なりかつ第１の壁面と直角かつ互いに平行な第２，第３の壁面とがコ字をなす浴室部分に、浴槽を配することにより壁面開放部分で洗い場を形成する浴室の構造であって、前記浴槽は、貯湯しうる容器部と、その周囲上縁で外方の張り出すフランジ部と、その外縁で下にのびる垂下部とを有する浴槽本体、及び前記壁面に固定され該壁面と浴槽本体とを継ぐバス枠体とからなるとともに、前記バス枠体は、前記第１、第２，第３の壁面にそれぞれ沿う第１、第２，第３の枠部を有し、かつ各第１、第２、第３の枠部はそれぞれ前記壁面に固定される取付片と、その下端で浴槽本体に向いてかつ前記垂下部をこえて突出する受片と、その内端でかつ容器部と離れて立ち上がりかつ上端に支持片を設けた立片とを具え、前記第２，第３の枠部の受片は、第１の壁面から洗い場に向けて下向きに水勾配を有して傾斜するとともに、前記第２，第３の枠部の受片に対向する前記浴槽本体の垂下部は、前記傾斜に合わせて垂下高さを増すことにより前記受片と垂下部下との間の距離を一定とすることを特徴としている。
【０００６】
また請求項２に係わる発明は、前記第１の枠部第１の受片は、山形状に水勾配で傾斜するとともに、前記第１の枠部の受片に対向する前記浴槽本体の垂下部は、前記傾斜に合わせて垂下高さを山形状に増すことにより前記受片と垂下部下との間の距離を一定とすることを特徴とする。
【０００７】
【発明の実施の形態】
以下本発明の実施の一形態を図面に基づき説明する。
本発明の浴室の構造は、例えば図１のように、第１の壁面Ｗ１と、その両端に連なりかつ第１の壁面Ｗ１と直角かつ互いに平行な第２，第３の壁面Ｗ２，Ｗ３とがコ字をなす浴室Ｒ部分に、浴槽１を配することにより壁面Ｗの開放部分で洗い場Ｂを形成している。
【０００８】
なお前記壁面Ｗは、図５，６で示すように、浴室空間を仕切る壁体Ｗｏの浴室側面であって、さらにその浴室側面に壁仕上げ材Ｗｆを配して形成される。前記浴槽１に対向する前記壁仕上げ材Ｗｆの下縁は前記浴槽１の上面と略同一高さに形成され、他方壁仕上げ材Ｗｆの上縁は天井パネルＰに対し接着、釘固定等で固定し、コーキング剤（図示せず) の充填により水密的に連続している。さらに壁面Ｗには、適宜窓、排風口又は換気口など（図示しない）が設けられる。
【０００９】
前記浴槽１は、図２〜４に示すように、浴槽本体２及び前記壁面Ｗに固定され該壁面Ｗと前記浴槽本体２とを継ぐバス枠体３とからなり、該浴槽本体２は、その上縁が平行な２辺の直線とその直線の両端にそれぞれ略半円を設けることにより長円形をなした凹状の容器部２１と、その周囲上縁から外方に張り出しかつその各々の外縁が前記第１、第２、第３の壁面Ｗ１、Ｗ２、Ｗ３に向かうフランジ部２２と、該フランジ部２２の外縁で下にのびる垂下部２３とを具え、前記容器部２１の一端半円部に底面の一部を持ち上げて階段状とした腰掛け部２５を設け一体成形される。
【００１０】
前記バス枠体３は、図２に示すように、前記第１、第２，第３の壁面Ｗ１，Ｗ２，Ｗ３にそれぞれ沿う第１、第２，第３の枠部３６，３７，３８からなり、前記洗い場Ｂに面する第４の枠部３９とともに前記浴槽本体２を囲んでいる。  また該バス枠体３は、図５、６に示すように、前記壁面Ｗに例えば小ねじなどで固定される略Ｌ字状の一端から折れて下方にのびた取付片３１と、その下端で浴槽本体２に向いてかつ前記垂下部２３をこえて突出する受片３２と、その内端でかつ容器部２１と離れて立ち上がりかつ水平上端に合成ゴム等の水密材からなる支持片３４を設けたＬ字状をなす立片３３とを具え、前記浴槽本体２を水密に支持している。なお前記取付片３１の略Ｌ字状の一端は、前記壁仕上げ材Ｗｆの下縁と向き合いシール材で水密に固着される。
【００１１】
前記第２，第３の枠部３７，３８の受片３２は、第１の壁面Ｗ１から洗い場Ｂに向けて下向きに０．４°〜１．５°、好ましくは０．５°〜１．０°の水勾配を有して傾斜する。他方該受片３２に対向する前記浴槽本体２の垂下部２３は、受片３２の傾斜に合わせて垂下長を増すことにより、受片３２と垂下部２３の距離を一定ａ（１〜５mm、好ましくは２〜４mm）としている。このように、傾斜した受片３２、取付片３１、立片３３により水勾配を有する排水路が形成されるので、排水のための溝を必要とせず、従って浴室洗浄の作業性が向上し、更には入隅部における水垢の付着、黴の発生を防止しうる。また排水のための溝がなくなることにより、バス枠体３の形状を単純とし、金型作成、成形の作業を簡易化しうる。更にデザイン上不要な凹凸が無くなり、外観を高めうる。
【００１２】
また、本実施態様では、図６に示すように、前記第１の枠部３６の受片３２は、前記第１の壁面Ｗ１の略中央に対向する位置から第２、第３の壁面Ｗ２，Ｗ３に向けて下向きに水勾配を有して山形に傾斜し、前記第２，第３の枠部３７，３８の受片３２へとつながる。他方第１の枠部３６の受片３２に対向する浴槽本体２の垂下部２３の下縁は、図４（ａ）に示すように、傾斜に合わせて垂下長を山形に増している。これにより、図６に示すように、枠部３６の受片３２と浴槽本体２の垂下部２３間の距離を一定ａとしている。尚、第１の枠部３６の受片３２に対向する浴槽本体２の垂下部２３は、第２、３の枠部３７，３８の受片３２に対向する垂下部２３下に連続し形成される。このように、第１の枠部３６の受片３２が第２、第３の壁面Ｗ２，Ｗ３に向けて下向きに水勾配を有して山形に傾斜しているので、第２、第３の枠部３７、３８の受片３２の傾斜と連続して、浴槽本体２を囲むコ字状のバス枠体３に、奥に位置する第１の枠部３６の中央から左右に別れ各々同長の排水経路が形成される。これにより、浴槽本体２の第１、第２，第３の壁面Ｗ１，Ｗ２，Ｗ３に囲まれる３つの全ての上縁部において、水勾配を有する排水路が形成され、結露水、飛散した湯水等がスムースに排水され、浴室洗浄の作業性が向上し、更には入隅部における水垢の付着、黴の発生を防止しうる。
【００１３】
また前記浴槽本体２は、図３に示すように、その底面を形鋼で矩形に製作された架台４に複数のブロック状の支持部材２４を介して、安定的に支持される。
また、バス枠体３は架台４に立設された支持柱２６の上端で支持され、ビス（( 図示せず) で固定される。
【００１４】
該第４の枠部３９は、図２に示すように、前記洗い場Ｂを形成する洗い場枠Ｂ１に固定されるとともに、前記第２、第３の枠部３７，３８の洗い場Ｂ側端に設けた接合面４０、４０で螺着されている。
前記第４の枠部３９は、前記第２、第３の枠部３７，３８のそれぞれの前記接合面４０、４０に螺着された接合面４０ａ、４０ａと、９０°円弧部４２，４２を両端に具えた直線部４３とで形成され、かつその垂直断面は略Ｌ字状であり上端水平面に設けた前記支持片３４を介して前記浴槽本体２を水密に支持し、下端垂直面を前記洗い場枠Ｂ１に固着される。
【００１５】
また第４の枠部３９に沿って配される前記浴槽本体２の垂下部２３は、前記第２、第３の枠部３７，３８に対向する位置よりさらに前記水勾配で傾斜して下がり前記直線部４３に対向する位置で水平直線となる。なお前記第４の枠部３９には浴槽本体２の垂下部２３と対向し前記と同様に距離を一定ａとした上向き面が形成され、その先端縁が下方へ折り曲げられ、さらに下端縁で前記浴槽本体２の側へ折り曲げて仕舞いされた洗い場カバー４１が設けられる。
【００１６】
なお例えば前記第２の枠部３７が第２の壁面Ｗ２とつながっていない浴室の配置のときは、前記第３の枠部３８の受片３２は、前記と同様に傾斜するとともに、第３の枠部３８の受片３２とそれに対向する前記垂下部２３との間の距離を前記と同様一定ａとし、前記第１の枠部３６の受片３２は、第３の壁面Ｗ３から第２の壁面Ｗ２に向けて傾斜し、第１の枠部３６の受片３２に対向する前記垂下片２３は、受片３２との間の距離を一定ａとする。また第２，第４の枠部３７，３９に対向する前記垂下部２３は、第１、第３の枠部３６，３８に対向する垂下部２３の最も下がった高さに合わせて水平とし、浴槽本体２の周囲を形成し、外観を美麗に保ちうる。
【００１７】
【発明の効果】
上述したように、浴室の第１の壁面と、その両端に連なりかつ第１の壁面と直角かつ互いに平行な第２，第３の壁面とがコ字をなす浴室部分に、浴槽を配することにより壁面開放部分で洗い場を形成する浴室の構造であって、
前記浴槽は、貯湯しうる容器部と、その周囲上縁で外方の張り出すフランジ部と、その外縁で下にのびる垂下部とを有する浴槽本体、及び前記壁面に固定され該壁面と浴槽本体とを継ぐバス枠体とからなるとともに、
前記バス枠体は、前記第１、第２，第３の壁面にそれぞれ沿う第１、第２，第３の枠部を有し、かつ各第１、第２、第３の枠部はそれぞれ前記壁面に固定される取付片と、その下端で浴槽本体に向いてかつ前記浴槽本体の垂下部をこえて突出する受片と、その内端でかつ容器部と離れて立ち上がりかつ上端に支持片を設けた立片とを具え、
前記第２，第３の枠部の受片は、第１の壁面から洗い場に向けて下向きに水勾配を有して傾斜するとともに、前記第２，第３の枠部の受片に対向する前記浴槽本体の垂下部は、前記受片の傾斜に合わせて垂下高さを増すことにより前記受片と垂下部との間の距離を一定とし、第２，第３の枠部上の排水性がよく、外観上も美麗で、かつコストの安い浴室を提供できる。
【００１８】
また、請求項２記載の発明では、前記第１の枠部第１の受片は、略中央から第２、第３の壁面に向けて下向きに水勾配を有して山形に傾斜するとともに、前記第１の枠部の受片に対向する前記浴槽本体の垂下部は、前記受片の傾斜に合わせて垂下長を山形に増すことにより前記受片と垂下部下との間の距離を一定とし、第１の枠部上の排水性がよく、外観上も美麗で、かつコストの安い浴室を提供できる。
【図面の簡単な説明】
【図１】実施の一形態を示す平面図である。
【図２】その部分斜視図である。
【図３】その断面斜視図である。
【図４】（ａ）は浴槽本体の背面図、（ｂ）は浴槽本体の側面図である。
【図５】第２の枠部の断面図である。
【図６】第１の枠部の断面図である。
【図７】従来の枠部の断面図である。
【符号の説明】
１  浴槽
２  浴槽本体
３  バス枠体
２１  容器部
２２  フランジ部
２３  垂下部
３１  取付片
３２  受片
３３  立片
３４  支持片
３６  第１の枠部
３７  第２の枠部
３８  第３の枠部
ａ  一定
Ｂ  洗い場
Ｒ  浴室
Ｗ  壁面
Ｗ１  第１の壁面
Ｗ２  第２の壁面
Ｗ３  第３の壁面
【図１】
0003650369.tif 000002
【図２】
0003650369.tif 000003
【図３】
0003650369.tif 000004
【図４】
0003650369.tif 000005
【図５】
0003650369.tif 000006
【図６】
0003650369.tif 000007
【図７】
0003650369.tif 000008